(57)【要約】【課題】作製費用を抑え、任意の照射距離を選択することができる医療用照明装置を提供する。【解決手段】ＬＥＤ２０の光が通過する通過孔部３４を、光軸よりもこの光軸と直交する方向にずらして形成した照射制御部３２をＬＥＤ２０と凸レンズ本体部２３との間に取り付け、このことによって、光軸を基準として通過孔部３４をずらした方向の逆側に像点（照射像の位置）をずらす。像点がずれた分、凸レンズ本体部２３から離れた側で各光源部の光が集まる。【選択図】図３
2016072122.tif 000002
【特許請求の範囲】
【請求項１】
レンズ部と、このレンズ部に向けて発光する光源部とが備えられた複数の発光部からの光が集められて照射像が形成される医療用照明装置において、
着脱可能である照射制御部が前記光源部と前記レンズ部との間に備えられ、
前記光源部の光が通過する通過孔部が、光軸よりもこの光軸と直交する方向にずれて前記照射制御部に形成され、
前記通過孔部を通過した光が、前記照射像よりも前記レンズ部から離れた側で集められる、
ことを特徴とする医療用照明装置。
【請求項２】
前記通過孔部の出口側が、前記光源部から前記レンズ部までの間の任意の位置に配置された、
ことを特徴とする請求項１に記載された医療用照明装置。
【請求項３】
前記通過孔部が、前記光源部の光の照射形状と異なる形状である、
ことを特徴とする請求項１または請求項２に記載された医療用照明装置。
【請求項４】
前記通過孔部が、前記光軸と直交する平面に対して傾斜している、
ことを特徴とする請求項１から請求項３のいずれか１項に記載された医療用照明装置。
【請求項５】
前記通過孔部の中心と前記光軸が一致する第一発光部を中心とし、
前記通過孔部が前記光軸よりもこの光軸と直交する方向にずれて前記照射制御部に形成された第二発光部が、前記第一発光部の周囲に配置された、
ことを特徴とする請求項１から請求項４のいずれか１項に記載された医療用照明装置。
【発明の詳細な説明】
【技術分野】
【０００１】
本発明は、医療施設で用いられる医療用照明装置に関するものである。
【背景技術】
【０００２】
従来、例えば歯科医院などの医療施設において診察や治療を受ける患者の患部を照らす照明として、例えば下記特許文献１に記載された照明装置がある。この照明装置によれば、ＬＥＤ（Ｌｉｇｈｔ  Ｅｍｉｔｔｉｎｇ  Ｄｉｏｄｅ）ランプにライトガイドおよびレンズが取り付けられ、ＬＥＤランプから発光された光がライトガイドを通って出射され、レンズを通して所定の距離（照射距離）だけ離された点で照射像が形成される。
【０００３】
一方、その他の照明装置として、例えば図１５に記載されたものがある。図１５は、従来の照明装置６０が示されている。この照明装置６０によれば、レンズと、このレンズに向けて発光する光源部とから構成された複数の発光部６１が備えられ、それぞれの光軸が、所定の距離（照射距離Ｌ１）だけ離れた一点で交差し、交差した点で、それぞれの発光部６１からの光が重ねられて照射像が形成される。
【先行技術文献】
【特許文献】
【０００４】
【特許文献１】特開２００７−８８３７７号公報
【発明の概要】
【発明が解決しようとする課題】
【０００５】
しかし、従来の照明装置によれば、上記したとおり、ＬＥＤランプ（光源部）に対するライトガイドやレンズの位置などが予め決められて固定されているため、所定の距離だけ離れた点に照射像が形成される。したがって、照射距離が一定であり、照射距離を変更することができない。仮に、照射距離を変更する場合は、ライトガイドを変更すると共に、そのために、ライトガイドを成形する金型や、ライトガイドを支持するホルダーまで変更する必要がある。したがって、各部材の変更に多額の費用を要する。
【０００６】
本発明は、上記の実情に鑑みて提案されたものである。すなわち、作製費用を抑え、任意の照射距離を選択することができる医療用照明装置の提供を目的とする。
【課題を解決するための手段】
【０００７】
上記目的を達成するために、本発明に係る医療用照明装置は、レンズ部と、このレンズ部に向けて発光する光源部とが備えられた複数の発光部からの光が集められて照射像が形成される医療用照明装置において、着脱可能である照射制御部が前記光源部と前記レンズ部との間に備えられ、前記光源部の光が通過する通過孔部が、光軸よりもこの光軸と直交する方向にずれて前記照射制御部に形成され、前記通過孔部を通過した光が、前記照射像よりも前記レンズ部から離れた側で集められる、ことを特徴とする。
【０００８】
本発明に係る医療用照明装置は、前記通過孔部の出口側が、前記光源部から前記レンズ部までの間の任意の位置に配置された、ことを特徴とする。
【０００９】
本発明に係る医療用照明装置は、前記通過孔部が、前記光源部の光の照射形状と異なる形状である、ことを特徴とする。
【００１０】
本発明に係る医療用照明装置は、前記通過孔部が、前記光軸と直交する平面に対して傾斜している、ことを特徴とする。
【００１１】
本発明に係る医療用照明装置は、前記通過孔部の中心と前記光軸が一致する第一発光部を中心とし、前記通過孔部が前記光軸よりもこの光軸と直交する方向にずれて前記照射制御部に形成された第二発光部が、前記第一発光部の周囲に配置された、ことを特徴とする。
【発明の効果】
【００１２】
本発明に係る医療用照明装置は上記した構成である。この構成により、発光した光源部の光の基点が、光軸よりも、その光軸と直交する方向にずれ、このことによって光軸を基準として光の基点の逆側に像点（照射像の位置）がずれる。像点がずれた分、ずれた像点よりもレンズ部から離れた側で、各光源部からの光が集められて重ねられる。したがって、任意の照射距離を選択することができる。
【００１３】
また、上記した構成により、既製品に照射制御部を着脱することで任意の照射距離を選択することができ、施術、施術態様に併せ、容易に仕様対応、変更が可能となり、仕様が異なる医療用照明装置を作製する際に、費用を抑えることができる。
【００１４】
本発明に係る医療用照明装置は、通過孔部の出口側が、光源部からレンズ部までの間の任意の位置に配置されている。この構成により、発光した光源部の光の基点が、照射制御部の位置に応じてレンズ部に近づき、このことによって照射距離が変化する。したがって、任意の照射距離を選択することができる。
【００１５】
本発明に係る医療用照明装置は、通過孔部が、光源部の光の照射形状と異なる形状である。この構成により、発光した光源部の光の照射形状が、通過孔部を通過することで、通過孔部の形状に応じて変形する。したがって、照射形状を任意に選択することができる。
【００１６】
本発明に係る医療用照明装置は、通過孔部が、光軸と直交する平面に対して傾斜している。この構成により、通過孔部が傾斜した分、発光した光源部の光の出射方向がずれ、このことによって像点がずれる。像点がずれた分、ずれた像点よりもレンズ部から離れた側で、各光源からの光が集められて重ねられる。したがって、任意の照射距離を選択することができる。
【００１７】
本発明に係る医療用照明装置は、通過孔部の中心と光軸が一致する第一発光部を中心とし、通過孔部が光軸よりもこの光軸と直交する方向にずれて照射制御部に形成された第二発光部が、第一発光部の周囲に配置される構成である。この構成により、第一発光部の光を中心として、この第一発光部の光に第二発光部の光が重なって全体の照射形状が形成され、各発光部の照射像よりもレンズ部から離れた側で、各光源からの光が集められて重ねられる。したがって、任意の照射距離を選択することができる。
【図面の簡単な説明】
【００１８】
【図１】本発明の実施形態に係る医療用照明装置の外観斜視図である。
【図２】本発明の実施形態に係る医療用照明装置の分解斜視図である。
【図３】本発明の実施形態に係る医療用照明装置の発光部の分解斜視図である。
【図４】本発明の実施形態に係る医療用照明装置の発光部の断面図である。
【図５】本発明の第一実施形態に係る医療用照明装置の照射制御部による第一発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が上方から視して模式的に示された概略説明図である。
【図６】本発明の第一実施形態に係る医療用照明装置の照射制御部による第二発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が上方から視して模式的に示された概略説明図である。
【図７】本発明の第一実施形態に係る医療用照明装置の照射制御部による第二発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が上方から視して模式的に示された概略説明図である。
【図８】本発明の第一実施形態に係る医療用照明装置による光の形状が示され、（ａ）が各発光部からの光が重ねられて形成された照射形状が示された斜視照射形状図、（ｂ）がレンズ部を通過した光の様子が上方から視して模式的に示された概略説明図である。
【図９】本発明の第二実施形態に係る医療用照明装置の照射制御部による第一発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が左方から視して模式的に示された概略説明図である。
【図１０】本発明の第二実施形態に係る医療用照明装置の照射制御部による第二発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が左方から視して模式的に示された概略説明図である。
【図１１】本発明の第二実施形態に係る医療用照明装置の照射制御部による第二発光部の光の変化の説明が示され、（ａ）が光源部に対する通過孔部の配置が正面から視して示された通過孔部配置図、（ｂ）が発光部からの光の照射形状が示された斜視照射形状図、（ｃ）が光源部に対する通過孔部の配置による光の様子が左方から視して模式的に示された概略説明図である。
【図１２】本発明の第二実施形態に係る医療用照明装置による光の形状が示され、（ａ）が各発光部からの光が重ねられて形成された照射形状が示された斜視照射形状図、（ｂ）がレンズ部を通過した光の様子が左方から視して模式的に示された概略説明図である。
【図１３】本発明の実施形態に係る医療用照明装置によって照射像よりもレンズ部から離れた側で集められた光の大きさを説明するための光の様子が模式的に示された概略説明図である。
【図１４】本発明の実施形態に係る医療用照明装置の通過孔部の出口側の位置に応じて変化する光の様子が模式的に示された概略説明図である。
【図１５】従来の照明装置が示され、（ａ）が断面図であり、（ｂ）がレンズを通過した光の様子が示された概略説明図である。
【発明を実施するための形態】
【００１９】
以下に、本発明の第一実施形態に係る医療用照明装置を図面に基づいて説明する。図１は、本発明の実施形態に係る医療用照明装置１０が示され、図２は、本発明の実施形態に係る医療用照明装置１０が分解されたものが示されている。なお、以下の説明では、光の照射方向を正面とし、照射方向と直交する水平方向を左右方向とし、照射方向と直交する垂直方向を上下方向とする（図１参照）。
【００２０】
図１に示されているとおり、本実施形態に係る医療用照明装置１０は、ほぼ円盤型の照明本体部１１と、この照明本体部１１を回転可能に支持するフレーム部１とから構成されている。フレーム部１は、照明本体部１１の左右両側部に取り付けられた把持部２と、この把持部２と共に、左右両側部から照明本体部１１を回転可能に支持する半円弧状の支持フレーム部３と、この支持フレーム部３の上部に取り付けられて支持フレーム部３を回転可能に支持する接続フレーム部４とが備えられている。
【００２１】
図２に示されているとおり、照明本体部１１は、内側に本体基盤１２が取り付けられ、外側の下部にセンサー取付部１３が取り付けられている。本体基盤１２は、ほぼ四角形の平板状であり、中央と四隅に発光部が接続されている。本体基盤１２の中央に接続された発光部は、第一発光部としての中央発光部１４であり、また、この本体基盤１２を中心とした周囲の四隅に接続された発光部は、第二発光部としての右上発光部１５、右下発光部１６、左上発光部１７、左下発光部１８である。本体基盤１２の四隅は正面側の中央に向けて傾斜し、したがって、右上発光部１５、右下発光部１６、左上発光部１７、左下発光部１８が中央発光部１４側に傾いている（図８（ｂ）参照）。一方、センサー取付部１３は、照明本体部１１の照明のスイッチの入り切を切り換えるセンサーが内蔵されている。
【００２２】
次に、各発光部１４，１５，１６，１７，１８を図面に基づいて説明する。図３は、本実施形態に係る医療用照明装置１０の発光部が分解されたものが示され、図４は、本実施形態に係る医療用照明装置１０の発光部の断面が示されている。なお、図３および図４は、各発光部１４，１５，１６，１７，１８のうち共通する構成のみが示されているため、共通する構成については中央発光部１４のみを説明し、他の各発光部１５，１６，１７，１８の説明を省略する。
【００２３】
図３および図４に示されているとおり、中央発光部１４は、四角形の板状の基板部１９と、この基板部１９の中央に接続された光源部としてのＬＥＤ２０と、発光したＬＥＤ２０の光を調整するライトガイド２１と、このライトガイド２１から出射した光が入射されるレンズ部２２と、ＬＥＤ２０とレンズ部２２との間に配置された照射制御部３２とが備えられている。ライトガイド２１は、発光面の形状が上下方向にほぼ長方形であるが、発光面の形状は任意である。
【００２４】
レンズ部２２は、凸レンズ本体部２３がレンズホルダ部２６に取り付けられて形成されている。凸レンズ本体部２３は、光が入射される入射面２４が緩やかに湾曲し、光が出射される出射面２５が入射面２４よりも大きく湾曲している。レンズホルダ部２６は、基板部１９の形状に合わせて四角形に形成された基板取付部２７が基板部１９に取り付けられ、凸レンズ本体部２３の形状に合わせて円筒状に形成されたレンズ取付部２８に凸レンズ本体部２３が取り付けられる。レンズホルダ部２６は、基板取付部２７とレンズ取付部２８との境である底部２９が閉塞し、ライトガイド２１が取り付けられるライトガイド取付孔部３０が、ＬＥＤ２０と対面する位置に合わせて底部２９のほぼ中央に形成されている。底部２９の縁は、照射制御部３２が取り付けられる複数の被係止部３１が形成されている。なお、凸レンズ本体部は、収差補正のために被球面形状レンズであってもよい。
【００２５】
照射制御部３２は、ほぼＴ字状の薄板であり、三方に係止部３３が形成されている。照射制御部３２は、レンズ部２２のうち、レンズホルダ部２６の内側に配置され、各係止部３３が底部２９の被係止部３１に係止される。照射制御部３２は、発光したＬＥＤ２０の光が通過する円形の通過孔部３４が形成されている。通過孔部３４は、ライトガイド２１に密着し、中央発光部１４を正面から視した際、発光したＬＥＤ２０の光をライトガイド２１から出射させて通過させることができる位置に配置される（図５（ａ）、図６（ａ）、および図７（ａ）参照）。なお、通過孔部３４は円形であるが、例えば本実施形態でライトガイド２１の発光面が上下方向に向けてほぼ長方形であるのに対して通過孔部３４が円形であるように、発光したＬＥＤ２０の光の照射形状と異なる形状であれば通過孔部３４の形状は任意である。また、レンズホルダ部２６の被係止部３１に対する照射制御部３２の取り付け方は任意であり、様々な向きで照射制御部３２が被係止部３１に取り付けられ、取り付け後の照射制御部３２の位置を調節することも可能である。
【００２６】
次に、照射制御部３２による光の変化について図面に基づいて説明する。図５、図６および図７は、本実施形態に係る医療用照明装置１０の照射制御部３２による光の変化の説明が示されている。図５は、中央発光部１４に配置された照射制御部３２に関する説明が示され、図６は、右上発光部１５および右下発光部１６に配置された照射制御部３２に関する説明が示され、図７は、左上発光部１７および左下発光部１８に配置された照射制御部３２に関する説明が示されている。各図において、（ａ）は正面から視した発光部が示され、（ｂ）は斜視した本体基盤１２における発光部の光の照射形状が示され、（ｃ）はＬＥＤ２０に対する通過孔部３４の配置による光の様子が上方から視して模式的に示されている。
【００２７】
図５（ａ）に示されているとおり、照射制御部３２が取り付けられた中央発光部１４は、正面から視して、ライトガイド２１の発光面が照射制御部３２の通過孔部３４から露出すると共に、通過孔部３４の縁によって一部が遮蔽される。すなわち、ライトガイド２１の発光面の形状と照射制御部３２の通過孔部３４の形状とが異なり、ライトガイド２１の発光面の形状が上下方向に向けてほぼ長方形であるのに対し、通過孔部３４の形状が円形であるため、ライトガイド２１の発光面は、長方形のうち、長手方向の上下が円弧状に遮蔽される。この状態でＬＥＤ２０が発光すると、ライトガイド２１を通過した光が通過孔部３４を通過することで、光の照射形状４０（中央照射形状４１）が通過孔部３４の形状によって変形する。詳説すれば、図５（ｂ）に示されているとおり、照射形状４０（中央照射形状４１）は、長方形のうち、長手方向である上下が円弧上に縁取られた形状である。
【００２８】
図５（ｃ）に示されているとおり、中央発光部１４のＬＥＤ２０の光軸は、照射制御部３２の通過孔部３４の中心と一致している。すなわち、中央発光部１４のＬＥＤ２０の光軸上に照射制御部３２の通過孔部３４の中心が配置され、発光したＬＥＤ２０の光は通過孔部３４を通過してレンズ部２２に入射し、レンズ部２２から出射した光が像点５０（中央像点５１）に集光し、光軸上の像面に照射像が形成される。照射像の照射形状４０（中央照射形状４１）は、上記したとおり、長方形のうち、長手方向の上下が円弧上に縁取られた形状である（図５（ｂ）参照）。
【００２９】
図６（ａ）に示されているとおり、照射制御部３２が取り付けられた右上発光部１５（または右下発光部１６）は、中央発光部１４と同様に、正面から視して、ライトガイド２１の発光面が照射制御部３２の通過孔部３４から露出すると共に、通過孔部３４の縁によって一部が遮蔽される。すなわち、ライトガイド２１の発光面の形状が上下方向に向けてほぼ長方形であるのに対し、通過孔部３４の形状が円形であることに加え、通過孔部３４が、光軸よりも、この光軸と直交する左方にずれて形成されているため（図６（ｃ）参照）、ライトガイド２１の発光面は、長方形のうち、長手方向の上下および右方が円弧状に遮蔽される。この状態でＬＥＤ２０が発光すると、図６（ｂ）に示されているとおり、照射形状４０（右方照射形状４２）は、長方形のうち、長手方向の上下および右方が円弧状に縁取られた形状となる。
【００３０】
図６（ｃ）に示されているとおり、照射制御部３２の通過孔部３４は、右上発光部１５（または右下発光部１６）のＬＥＤ２０の光軸よりも、この光軸と直交する左方にずれている。すなわち、右上発光部１５（または右下発光部１６）のＬＥＤ２０の光軸よりも、光軸と直交する左方に“Ｙ０”ずれて通過孔部３４が配置され、発光したＬＥＤ２０の光は通過孔部を３４通過してレンズ部２２に入射し、レンズ部２２から出射した光が、光軸よりも、光軸と直交する右方に“Ｙ１”ずれた像点５０（右方像点５２）に集光して像面に照射像が形成される。照射像の照射形状４０（右方照射形状４２）は、上記したとおり、長方形のうち、長手方向の上下および右方が円弧状に縁取られた形状である（図６（ｂ）参照）。
【００３１】
図７（ａ）に示されているとおり、照射制御部３２が取り付けられた左上発光部１７（または左下発光部１８）は、中央発光部１４と同様に、正面から視して、ライトガイド２１の発光面が照射制御部３２の通過孔部３４から露出すると共に、通過孔部３４の縁によって一部が遮蔽される。すなわち、ライトガイド２１の発光面の形状が上下方向に向けてほぼ長方形であるのに対し、通過孔部３４の形状が円形であることに加え、通過孔部３４が、光軸よりも、この光軸と直交する右方にずれて形成されているため（図７（ｃ）参照）、ライトガイド２１の発光面は、長方形のうち、長手方向の上下および左方が円弧状に遮蔽される。この状態でＬＥＤ２０が発光すると、図７（ｂ）に示されているとおり、照射形状４０（左方照射形状４３）は、長方形のうち、長手方向の上下および左方が円弧状に縁取られた形状となる。
【００３２】
図７（ｃ）に示されているとおり、照射制御部３２の通過孔部３４は、左上発光部１７（または左下発光部１８）のＬＥＤ２０の光軸よりも、この光軸と直交する右方にずれている。すなわち、左上発光部１７（または左下発光部１８）のＬＥＤ２０の光軸よりも、光軸と直交する右方に“Ｙ０”ずれて通過孔部３４が配置され、発光したＬＥＤ２０の光は通過孔部３４を通過してレンズ部２２に入射し、レンズ部２２から出射した光が、光軸よりも、光軸と直交する左方に“Ｙ１”ずれた像点５０（左方像点５３）に集光して像面に照射像が形成される。照射像の照射形状４０（左方照射形状４３）は、上記したとおり、長方形のうち、長手方向の上下および左方が円弧状に縁取られた形状である（図７（ｂ）参照）。
【００３３】
なお、各ＬＥＤ２０の光軸と直交する平面に対して照射制御部３２を傾斜させることで、光に対して通過孔部３４を傾斜させ、発光したＬＥＤ２０の光の出射方向をずらす構成とし、このことによって、光を光軸よりも、光軸と直交する左右方向にずれた像点に集光させてもよい。
【００３４】
次に、照射制御部３２によって変化した光の全体の照射像について図面に基づいて説明する。図８は、本実施形態に係る医療用照明装置１０による光の形状が示されている。（ａ）は斜視した本体基盤１２における各発光部１４，１５，１６，１７，１８の光が重ねられて形成された照射像が示され、（ｂ）はレンズ部２２を通過した光の様子が上方から視して模式的に示されている。
【００３５】
図８（ｂ）に示されているとおり、照射制御部３２の通過孔部３４を通過して各レンズ部２２から出射した光が、それぞれの像点５１，５２，５３を越えて重ねられ、二次照射像５４が形成される。詳説すれば、中央発光部１４における光は、像点５０（中央像点５１）に集光して照射像が形成され、右上発光部１５および右下発光部１６における光は像点５０（右方像点５２）に集光して照射像が形成され、左上発光部１７および左下発光部１８における光は像点５０（左方像点５３）に集光して照射像が形成される。ここで、左右上下各発光部１５，１６，１７，１８の像点５０（右方像点５２および左方像点５３）は、左右上下各発光部１５，１６，１７，１８の光軸に対して“Ｙ１”ずれているため（図６（ｃ）および図７（ｃ）の参照）、中央発光部１４の像点５０（中央像点５１）に対しては、中央発光部１４の光軸に対して“Ｙ２”ずれる。したがって、それぞれの光が重ねられるのは、像点５０（右方像点５２および左方像点５３）がずれた分、像点５０（照射像の位置）よりもレンズ部２２から離れた側（各発光部１４，１５，１６，１７，１８の光軸が交差する位置（図１５（ｂ）参照）よりもレンズ部２２から離れた側）であり、光が重ねられた位置に二次照射像５４が形成される。その際の照射距離Ｌ２（中央発光部１４から二次照射像５４までの距離）は、従来の照射距離Ｌ１（中央発光部１４から各発光部１４，１５，１６，１７，１８の光軸が交差する位置（図１５（ｂ）参照）までの距離）よりも長い。
【００３６】
図８（ａ）に示されているとおり、二次照射像５４の照射形状は、各発光部１４，１５，１６，１７，１８の光が重ねられて円形に形成される。詳説すれば、中央発光部１４の光による照射像の照射形状４０（中央照射形状４１）は、長方形のうち、長手方向の上下が円弧上に縁取られた形状であり、右上発光部１５および右下発光部１６の光による照射像の照射形状４０（右方照射形状４２）は、長方形のうち、長手方向の上下および右方が円弧状に縁取られた形状であり、左上発光部１７および左下発光部１８の光による照射像の照射形状４０（左方照射形状４３）は、長方形のうち、長手方向の上下および左方が円弧状に縁取られた形状である。これらの各照射形状４１，４２，４３が重ねられることでそれぞれの遮蔽された部分が補われ、全体として照射形状が円形である二次照射像５４が形成される。
【００３７】
以上のとおり、第一実施形態に係る医療用照明装置１０が構成されている。
【００３８】
次に、本発明の第二実施形態に係る医療用照明装置７０おける照射制御部３２による光の変化について図面に基づいて説明する。図９、図１０および図１１は、第二実施形態に係る医療用照明装置７０の照射制御部３２による光の変化の説明が示されている。図１１は、中央発光部１４に配置された照射制御部３２に関する説明が示され、図１２は、右上発光部１５および左上発光部１７に配置された照射制御部３２に関する説明が示され、図１３は、右下発光部１６および左下発光部１８に配置された照射制御部３２に関する説明が示されている。各図において、（ａ）は正面から視した発光部が示され、（ｂ）は斜視した本体基盤１２における発光部の光の照射形状が示され、（ｃ）はＬＥＤ２０に対する通過孔部３４の配置による光の様子が左方から視して模式的に示されている。なお、以下の説明では、第一実施形態と異なる構成のみの説明がなされ、同一の構成については説明が省略されている。各図の符号は、照射像および照射形状を除いて第一実施形態と同じである。
【００３９】
図９（ａ）に示されているとおり、照射制御部３２が取り付けられた中央発光部１４は、正面から視して、ライトガイド２１の発光面が照射制御部３２の通過孔部３４から露出すると共に、通過孔部３４の縁によって一部が遮蔽される。すなわち、ライトガイド２１の発光面の形状と照射制御部３２の通過孔部３４の形状とが異なり、ライトガイド２１の発光面の形状が左右方向に向けてほぼ長方形であるのに対し、通過孔部３４の形状が円形であるため、ライトガイド２１の発光面は、長方形のうち、長手方向の左右が円弧状に遮蔽される。この状態でＬＥＤ２０が発光すると、ライトガイド２１を通過した光が通過孔部３４を通過することで、光の照射形状４０（中央照射形状４４）が通過孔部３４の形状によって変形する。詳説すれば、図９（ｂ）に示されているとおり、照射形状４０（中央照射形状４４）は、長方形のうち、長手方向の左右が円弧上に縁取られた形状である。
【００４０】
図９（ｃ）に示されているとおり、中央発光部１４のＬＥＤ２０の光軸は、照射制御部３２の通過孔部３４の中心と一致している。すなわち、中央発光部１４のＬＥＤ２０の光軸上に照射制御部３２の通過孔部３４の中心が配置され、発光したＬＥＤ２０の光は通過孔部３４を通過してレンズ部２２に入射し、レンズ部２２から出射した光が像点５０（中央像点５５）に集光し、光軸上の像面に照射像が形成される。照射像の照射形状４０（中央照射形状４４）は、上記したとおり、長方形のうち、長手方向の左右が円弧上に縁取られた形状である（図９（ｂ）参照）。
【００４１】
図１０（ａ）に示されているとおり、照射制御部３２が取り付けられた右上発光部１５（または左上発光部１７）は、中央発光部１４と同様に、正面から視して、ライトガイド２１の発光面が照射制御部３２の通過孔部３４から露出すると共に、通過孔部３４の縁によって一部が遮蔽される。すなわち、ライトガイド２１の発光面の形状が左右方向に向けてほぼ長方形であるのに対し、通過孔部３４の形状が円形であることに加え、通過孔部３４が、光軸よりも、この光軸と直交する下方にずれて形成されているため（図１０（ｃ）参照）、ライトガイド２１の発光面は、長方形のうち、長手方向の左右および上方が円弧状に遮蔽される。この状態でＬＥＤ２０が発光すると、図１０（ｂ）に示されているとおり、照射形状４０（上方照射形状４５）は、長方形のうち、長手方向の左右および上方が円弧状に縁取られた形状となる。
【００４２】
図１０（ｃ）に示されているとおり、照射制御部３２の通過孔部３４は、右上発光部１５（または左上発光部１７）のＬＥＤ２０の光軸よりも、この光軸と直交する下方にずれている。すなわち、右上発光部１５（または左上発光部１７）のＬＥＤ２０の光軸よりも、光軸と直交する下方に“Ｙ０”ずれて通過孔部３４が配置され、発光したＬＥＤ２０の光は通過孔部を３４通過してレンズ部２２に入射し、レンズ部２２から出射した光が、光軸よりも、光軸と直交する上方に“Ｙ１”ずれた像点５０（上方像点５６）に集光して像面に照射像が形成される。照射像の照射形状４０（上方照射形状４５）は、上記したとおり、長方形のうち、長手方向の左右および上方が円弧状に縁取られた形状である（図１０（ｂ）参照）。
【００４３】
図１１（ａ）に示されているとおり、照射制御部３２が取り付けられた右下発光部１６（または左下発光部１８）は、中央発光部１４と同様に、正面から視して、ライトガイド２１の発光面が照射制御部３２の通過孔部３４から露出すると共に、通過孔部３４の縁によって一部が遮蔽される。すなわち、ライトガイド２１の発光面の形状が左右方向に向けてほぼ長方形であるのに対し、通過孔部３４の形状が円形であることに加え、通過孔部３４が、光軸よりも、この光軸と直交する上方にずれて形成されているため（図１１（ｃ）参照）、ライトガイド２１の発光面は、長方形のうち、長手方向の左右および下方が円弧状に遮蔽される。この状態でＬＥＤ２０が発光すると、図１１（ｂ）に示されているとおり、照射形状４０（下方照射形状４６）は、長方形のうち、長手方向の左右および下方が円弧状に縁取られた形状となる。
【００４４】
図１１（ｃ）に示されているとおり、照射制御部３２の通過孔部３４は、右下発光部１６（または左下発光部１８）のＬＥＤ２０の光軸よりも、この光軸と直交する上方にずれている。すなわち、右下発光部１６（または左下発光部１８）のＬＥＤ２０の光軸よりも、光軸と直交する上方に“Ｙ０”ずれて通過孔部３４が配置され、発光したＬＥＤ２０の光は通過孔部３４を通過してレンズ部２２に入射し、レンズ部２２から出射した光が、光軸よりも、光軸と直交する下方に“Ｙ１”ずれた像点５０（下方像点５７）に集光して像面に照射像が形成される。照射像の照射形状４０（下方照射形状４６）は、上記したとおり、長方形のうち、長手方向の左右および下方が円弧状に縁取られた形状である（図１１（ｂ）参照）。
【００４５】
次に、照射制御部３２によって変化した光の全体の照射像について図面に基づいて説明する。図１２は、第二実施形態に係る医療用照明装置７０による光の形状が示されている。（ａ）は斜視した本体基盤１２における各発光部１４，１５，１６，１７，１８の光が重ねられて形成された照射像が示され、（ｂ）はレンズ部２２を通過した光の様子が左方から視して模式的に示されている。
【００４６】
図１２（ｂ）に示されているとおり、照射制御部３２の通過孔部３４を通過して各レンズ部２２から出射した光が、それぞれの像点５５，５６，５７を越えて重ねられ、二次照射像５８が形成される。詳説すれば、中央発光部１４における光は、像点５０（中央像点５５）に集光して照射像が形成され、右上発光部１５および左上発光部１７における光は像点５０（上方像点５６）に集光して照射像が形成され、右下発光部１６および左下発光部１８における光は像点５０（下方像点５７）に集光して照射像が形成される。ここで、左右上下各発光部１５，１６，１７，１８の像点５０（上方像点５６および下方像点５７）は、左右上下各発光部１５，１６，１７，１８の光軸に対して“Ｙ１”ずれているため（図１０（ｃ）および図１１（ｃ）の参照）、中央発光部１４の像点５０（中央像点５５）に対しては、中央発光部１４の光軸に対して“Ｙ２”ずれる。したがって、それぞれの光が重ねられるのは、像点５０（上方像点５６および下方像点５７）がずれた分、像点５０（照射像の位置）よりもレンズ部２２から離れた側（各発光部１４，１５，１６，１７，１８の光軸が交差する位置（図１５（ｂ）参照）よりもレンズ部２２から離れた側）であり、光が重ねられた位置に二次照射像５８が形成される。その際の照射距離Ｌ２（中央発光部１４から二次照射像５８までの距離）は、従来の照射距離Ｌ１（中央発光部１４から各発光部１４，１５，１６，１７，１８の光軸が交差する位置（図１５（ｂ）参照）までの距離）よりも長い。
【００４７】
図１２（ａ）に示されているとおり、二次照射像５８の照射形状は、各発光部１４，１５，１６，１７，１８の光が重ねられて円形に形成される。詳説すれば、中央発光部１４の光による照射像の照射形状４０（中央照射形状４４）は、長方形のうち、長手方向の左右が円弧上に縁取られた形状であり、右上発光部１５および左上発光部１７の光による照射像の照射形状４０（上方照射形状４５）は、長方形のうち、長手方向の左右および上方が円弧状に縁取られた形状であり、右下発光部１６および左下発光部１８の光による照射像の照射形状４０（下方照射形状４６）は、長方形のうち、長手方向の左右および下方が円弧状に縁取られた形状である。これらの各照射形状４４，４５，４６が重ねられることでそれぞれの遮蔽された部分が補われ、全体として照射形状が円形である二次照射像５８が形成される。
【００４８】
上記した各実施形態は、上方もしくは左方から視して、各照射制御部の通過孔部をＬＥＤの光軸からずらして配置させたものであるが、各実施形態以外においても、上方および左方からのズレを組み合わせて照射像を形成することが可能である。また、光源部の数や配置に応じ、照射制御部の配置や、ライトガイドに対する通過孔部の配置などは任意である。
【００４９】
ここで、各実施形態において二次照射像５４の照射形状は、照射制御部３２の通過孔部３４と相似した円形である。二次照射像５４の照射形状を図１３に基づいて説明する。図１３は、各実施形態に係る医療用照明装置１０，７０によって形成された照射像の大きさの説明が模式的に示されている。
【００５０】
光源に対する像点の面積は、次の［式１］で表される。
【００５１】
Ｚ＝ｍ2×Ｘ・・・・［式１］
Ｚ：像点の面積
Ｘ：物点の面積
ｍ：レンズの結像倍率
【００５２】
すなわち、図１３に示されているとおり、像点の面積Ｚは、物点の面積Ｘと凸レンズ本体部２３の結像倍率ｍの二乗との積であるため、像点における照射像の照射形状の面積は、物点における照射制御部３２の通過孔部３４の面積のｍ倍である。したがって、二次照射像５４，５８の照射形状の面積も、少なくとも像点における照射像の照射形状の面積に近似した円形となる。
【００５３】
次に、光の照射距離を変化させるための照射制御部３２の取り付け位置について図面に基づいて説明する。図１４は、各実施形態に係る医療用照明装置１０，７０の照射制御部３２が任意の厚さに形成された場合の光の様子が模式的に示されている。
【００５４】
図１４に示されているとおり、照射制御部３２の厚みが、レンズ部２２の底部２９から凸レンズ本体部２３までの間で任意の厚さに形成されることにより、通過孔部３４の長さが増して、通過孔部３４の出口側と凸レンズ本体部２３との距離が短くなる。この場合、光の基点が光軸上で凸レンズ本体部２３側に近づくため、像点までの距離が長くなる。像点の変化の度合いは次の［式２］で表される。
【００５５】
Ｘ１＝−ｍ2×Ｘ０
Ｘ１：像点の変化の度合い（距離）
ｍ：レンズの結像倍率
Ｘ０：物点の変化の度合い（距離）
【００５６】
すなわち、図１４に示されているとおり、照射制御部３２の厚みが増した分、像点の距離が長くなるため、これに応じて二次照射像５４，５８までの照射距離も長くなる。なお、照射制御部３２の厚みを変えずに、位置を凸レンズ本体部２３に近づける構成としてもよい。
【００５７】
次に、各実施形態に係る医療用照明装置１０，７０の効果を説明する。
【００５８】
上記したとおり、各実施形態に係る医療用照明装置１０，７０によれば、照射制御部３２は、レンズ部２２のうち、レンズホルダ部２６の内側に配置され、各係止部３３が底部２９の被係止部３１に係止されている。この構成により、既製品に着脱することで任意の照射距離を選択することができるため、容易に仕様を変更することができ、仕様が異なる医療用照明装置１０，７０を、費用を抑えて作製することができる。
【００５９】
第一実施形態に係る医療用照明装置１０によれば、右上発光部１５（または右下発光部１６）に取り付けられた照射制御部３２に形成された円形の通過孔部３４は、右上発光部１５（または右下発光部１６）のＬＥＤ２０の光軸よりも、光軸と直交する左方に“Ｙ０”ずれて配置され、発光したＬＥＤ２０の光は通過孔部を３４通過してレンズ部２２に入射し、レンズ部２２から出射した光が、光軸よりも、光軸と直交する右方に“Ｙ１”ずれた像点５０（右方像点５２）に集光して像面に照射像が形成される（図６（ｃ）参照）。同様に、左上発光部１７（または左下発光部１８）に取り付けられた照射制御部３２に形成された円形の通過孔部３４は、左上発光部１７（または左下発光部１８）のＬＥＤ２０の光軸よりも、光軸と直交する右方に“Ｙ０”ずれて通過孔部３４が配置され、発光したＬＥＤ２０の光は通過孔部３４を通過してレンズ部２２に入射し、レンズ部２２から出射した光が、光軸よりも、光軸と直交する左方に“Ｙ１”ずれた像点５０（左方像点５３）に集光して像面に照射像が形成される（図７（ｃ）参照）。したがって、それぞれの光が重ねられるのは、像点５０（右方像点５２および左方像点５３）がずれた分、像点５０（照射像の位置）よりもレンズ部２２から離れた側（各発光部１４，１５，１６，１７，１８の光軸が交差する位置（図１５（ｂ）参照）よりもレンズ部２２から離れた側）であり、光が重ねられた位置に二次照射像５４が形成される（図８参照）。その際の照射距離Ｌ２（中央発光部１４から二次照射像５４までの距離）は、従来の照射距離Ｌ１（中央発光部１４から各発光部１４，１５，１６，１７，１８の光軸が交差する位置（図１５（ｂ）参照）までの距離）よりも長くなる。したがって、照射距離を任意に伸ばすことができる。なお、第二実施形態に係る医療用照明装置７０も同様の効果が生じる。
【００６０】
各実施形態に係る医療用照明装置１０，７０によれば、照射制御部３２の厚みが、レンズ部２２の底部２９から凸レンズ本体部２３までの間で任意の厚さに形成されている。このことによって、通過孔部３４の長さが増して、通過孔部３４の出口側と凸レンズ本体部２３との距離が短くなる。この構成により、この場合、光の基点が光軸上で凸レンズ本体部２３側に近づくため、像点までの距離が長くなる（図１４参照）。したがって、照射距離を任意に伸ばすことができる。
【００６１】
各実施形態に係る医療用照明装置１０，７０によれば、ライトガイド２１の発光面がほぼ長方形であるのに対して通過孔部３４が円形であるため、ライトガイド２１の発光面は、長方形のうち、一部が円弧状に遮蔽される。したがって、照射形状を変形させることができる。
【００６２】
各実施形態に係る医療用照明装置１０，７０によれば、各ＬＥＤ２０の光軸と直交する平面に対して照射制御部３２を傾斜させることで、光に対して通過孔部３４を傾斜させ、発光したＬＥＤ２０の光の出射方向をずらす構成とし、光を光軸よりも、光軸と直交する左右方向（または上下方向）にずれた像点５０（右方像点５２および左方像点５３、または上方像点５５および下方像点５６）に集光させてもよい。したがって、照射距離を任意に伸ばすことができる。
【００６３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６４】
１                フレーム部
２                把持部
３                支持フレーム部
４                接続フレーム部
１０、７０        医療用照明装置
１１              照明本体部
１２              本体基盤
１３              センサー取付部
１４              中央発光部（発光部、第一発光部）
１５              右上発光部（発光部、第二発光部）
１６              右下発光部（発光部、第二発光部）
１７              左上発光部（発光部、第二発光部）
１８              左下発光部（発光部、第二発光部）
１９              基板部
２０              ＬＥＤ（光源部）
２１              ライトガイド
２２              レンズ部
２３              凸レンズ本体部
２４              入射面
２５              出射面
２６              レンズホルダ部
２７              基板取付部
２８              レンズ取付部
２９              底部
３０              ライトガイド取付孔部
３１              被係止部
３２              照射制御部
３３              係止部
３４              通過孔部
４０              照射形状
４１，４４        中央照射形状
４２              右方照射形状
４３              左方照射形状
４５              上方照射形状
４６              下方照射形状
５０              像点
５１，５５        中央像点
５２              右方像点
５３              左方像点
５４，５８        二次照射像
５６              上方像点
５７              下方像点
Ｌ１，Ｌ２        照射距離
６０              照明装置
６１              発光部
【図１】
2016072122.tif 000003
【図２】
2016072122.tif 000004
【図３】
2016072122.tif 000005
【図４】
2016072122.tif 000006
【図５】
2016072122.tif 000007
【図６】
2016072122.tif 000008
【図７】
2016072122.tif 000009
【図８】
2016072122.tif 000010
【図９】
2016072122.tif 000011
【図１０】
2016072122.tif 000012
【図１１】
2016072122.tif 000013
【図１２】
2016072122.tif 000014
【図１３】
2016072122.tif 000015
【図１４】
2016072122.tif 000016
【図１５】
2016072122.tif 000017